【事件の表示】
　特願２０１３−５１４８０９号「フィッティングルーム用の表示及び照明装置」拒絶査定不服審判事件〔平成２３年１２月２２日国際公開、ＷＯ２０１１／１５８１４３、平成２５年７月１１日国内公表、特表２０１３−５２８９１９号、請求項の数（１５）〕について、次のとおり審決する。
【結　論】
　原査定を取り消す。
　本願の発明は、特許すべきものとする。
【理　由】
第１　手続の経緯
　本願は、２０１１年（平成２３年）５月２３日（パリ条約による優先権主張外国庁受理　２０１０年６月１７日　（ＥＰ）欧州特許庁）を国際出願日とする出願であって、平成２４年１２月１８日に手続補正書が提出され、平成２７年２月１６日付けで拒絶理由が通知され、同年５月２１日に意見書及び手続補正書が提出され、同年８月１７日付けで拒絶査定がされ、これに対し、同年１２月２４日に拒絶査定不服審判が請求されると同時に手続補正書が提出された。
　その後、当審において、平成２８年９月５日付けで拒絶理由（以下、「当審拒絶理由１」という。）が通知され、同年１２月６日に意見書及び手続補正書が提出され、平成２９年１月２３日付けで拒絶理由＜最後＞（以下、「当審拒絶理由２」という。）が通知され、同年７月３１日に意見書及び手続補正書が提出されたものである。
第２　本願発明
　本願の請求項１〜１５に係る発明（以下、それぞれ、「本願発明１〜１５」という。）は、平成２９年７月３１日の手続補正により補正された特許請求の範囲の請求項１〜１５に記載された事項により特定される以下のとおりのものである。
「　　【請求項１】
　表示ユニット、センサシステム、制御ユニット、及び、照明システムを含む、表示及び照明装置であって：
　前記センサシステムは、所定の場所で人を感知し、対応するセンサシステム信号を生成し；
　前記照明システムは、正面光を前記人に供給する第１光源と、前記所定の場所でトップ光を前記人に供給する、第２光源とを含み；
　前記制御ユニットは、前記センサシステム信号から人の特徴を導き出し、そして、前記人の特徴に基づいて、前記第１光源の光と、前記第２光源の光とをコントロールし；前記人の特徴は前記人の肌の色を含み、前記制御ユニットは、前記正面光における赤い光又は黄色の光のうちの少なくとも一方の光を加えることにより、導き出された肌の色の表現が調整されるように、前記導き出された肌の色に基づいて、前記照明システムをコントロールし、そして、
　前記表示ユニットは、前記所定の場所に位置する前記人のイメージを、前記所定の場所の前記人に表示する、
　表示及び照明装置。
　　【請求項２】
　前記表示ユニットは鏡である、請求項１記載の表示及び照明装置。
　　【請求項３】
　前記表示ユニットは表示デバイスを含む、請求項１記載の表示及び照明装置。
　　【請求項４】
　前記センサシステムは、前記人を感知するカメラを含む、請求項１乃至３の何れか１つに記載の表示及び照明装置。
　　【請求項５】
　前記表示ユニットは、所定の又はユーザ定義の遅延を有して、前記人の前記イメージを表示する、請求項３又は４に記載の表示及び照明装置。
　　【請求項６】
　前記制御ユニットは前記第１光源の光と、前記第２光源の光とを、次の群から選択される１つ又は複数の人の特徴の関数として、コントロールし、当該群は、肌の色だけでなく、しわの存在、肌の不規則性、髪の色、衣料品の色、顔の表情、前記所定の場所の範囲内での前記人の動き、前記所定の場所の範囲内での前記人の位置、前記人の身長、年齢、性別を含み、そして、前記制御ユニットは、次の群から選択される、１つ又は複数の特徴をコントロールし、当該群は、光の強度、色温度、色、彩度、色相、ビーム方向、及び、前記第１光源と前記第２光源のうちの１つ又は複数のビーム方向、ビーム角度を含む、請求項１乃至５のうち何れか１つに記載の表示及び照明装置。
　　【請求項７】
　前記センサシステムは肌の色を測定するセンサを含む、請求項１乃至６のうち何れか１つに記載の表示及び照明装置。
　　【請求項８】
　調整可能な光ビームを備えた第３光源を更に含み、前記制御ユニットは、更に、前記人の特徴に基づいて、前記第３光源の光をコントロールする、請求項１乃至７のうち何れか１つに記載の表示及び照明装置。
　　【請求項９】
　表示及び照明装置を含むスペースであり、前記表示及び照明装置は、表示ユニットと、センサシステムと、制御ユニットと、照明システムとを含み：
　前記センサシステムは、所定の場所で人を検知し、対応するセンサシステム信号を生成し；
　前記照明システムは、正面光を前記人に供給する第１光源と、前記所定の場所でトップ光を前記人に供給する、第２光源とを含み；
　前記制御ユニットは、前記センサシステム信号から人の特徴を導き出し、その人の特徴に基づいて、前記第１光源の前記光と、前記第２光源の前記光とをコントロールし；前記人の特徴は前記人の肌の色を含み、前記制御ユニットは、前記正面光における赤い光又は黄色の光のうちの少なくとも一方の光を加えることにより、導き出された肌の色の表現が調整されるように、前記導き出された肌の色に基づいて、前記照明システムをコントロー
ルし、そして、
　前記表示ユニットは、前記所定の場所に位置する前記人のイメージを、前記所定の場所の前記人に表示する、
　スペース。
　　【請求項１０】
　前記スペースは、前記表示及び照明装置を有するフィッティングルームである、請求項９記載のスペース。
　　【請求項１１】
　前記スペースは、前記表示及び照明装置を有するホスピタリティエリアである、請求項９記載のスペース。
　　【請求項１２】
　変化する色を有する対象物を更に含み、変化する色を有する前記対象物は、前記表示ユニットに対して、前記所定の場所の下流に配置され、前記制御ユニットは、変化する色を有する前記対象物の色を前記人の特徴に基づいてコントロールし、別のデバイスは、変化する色の壁のような、変化する色を有する対象物を有する、請求項９乃至１１のうち何れか１つに記載のスペース。
　　【請求項１３】
　請求項１乃至８のうち何れか１つに記載の表示及び照明装置の中に使用される、照明装置であって、当該照明装置は、センサシステム、制御ユニット、及び、照明システムを含み：
　前記センサシステムは、人を感知し、対応するセンサシステム信号を生成し；
　前記照明システムは、第１光源と第２光源とを有し；そして、
　前記制御ユニットは、前記センサシステム信号から人の特徴を導き出し、前記人の特徴に基づいて、前記第１光源の光と、前記第２光源の光とをコントロールし、前記人の特徴は前記人の肌の色を含み、前記制御ユニットは、前記正面光における赤い光又は黄色の光のうちの少なくとも一方の光を加えることにより、導き出された肌の色の表現が調整されるように、前記導き出された肌の色に基づいて、前記照明システムをコントロールする、
　照明装置。
　　【請求項１４】
　ポーズをとる人に与えられる光を制御ユニットによりコントロールする方法であって、該方法は：
　所定の場所で前記人を感知し、対応するセンサシステム信号を生成するステップと；
　前記センサシステム信号から人の特徴を導き出すステップと；
　前記人の特徴に基づいて、前記所定の場所で前記人に正面光を供給する第１光源の光をコントロールし、そして、前記所定の場所でトップ光を前記人に供給する、第２光源の光をコントロールするステップであって；前記人の特徴は前記人の肌の色を含み、前記正面光における赤い光又は黄色の光のうちの少なくとも一方の光を加えることにより、導き出された肌の色の表現が調整されるように、前記導き出された肌の色に基づいて、前記第１光源及び前記第２光源をコントロールするステップと、
　所定の場所に位置する前記人のイメージを、前記所定の場所の前記人に表示するステップと、
　を有する、方法。
　　【請求項１５】
　請求項１４記載の方法であって、表示及び照明装置が適応され、当該表示及び照明装置は、表示ユニット、センサシステム、制御ユニット、及び、照明システムを含み：
　前記センサシステムは、所定の場所で人を感知し、対応するセンサシステム信号を生成し；
　前記照明システムは、正面光を前記人に供給する第１光源と、所定の場所でトップ光を前記人に供給する第２光源とを含み；
　前記制御ユニットは、前記センサシステム信号から人の特徴を導き出し、そして、前記人の特徴に基づいて、前記第１光源の前記光と前記第２光源の前記光とをコントロールし
；そして、
　前記表示ユニットは、所定の場所に位置する前記人のイメージを、前記所定の場所の前記人に表示する、
　方法。」
第３　当審拒絶理由について
１　当審拒絶理由の概要
（１）当審拒絶理由１（進歩性）
　この出願の請求項１〜１５に係る発明は、その優先日前に日本国内または外国において頒布された以下の刊行物に記載された発明又は電気通信回線を通じて公衆に利用可能となった発明に基いて、その優先日前にその発明の属する技術の分野における通常の知識を有する者が容易に発明をすることができたものであるから、特許法第２９条第２項の規定により特許を受けることができない。
　特開２００５−３０２５００号公報（以下、「刊行物１」という。）
　特開２００８−２８１２３９号公報（以下、「刊行物２」という。）
　特開２００１−２７５８９１号公報（以下、「刊行物３」という。）
　特開２０１０−１２３５３４号公報（以下、「刊行物４」という。）
　特開２０１０−５５８０１号公報（以下、「刊行物５」という。）
　特開２００８−１２３８５９号公報（以下、「刊行物６」という。）
　特開２００２−２０７８０２号公報（以下、「刊行物７」という。）
　なお、上記刊行物２〜７は、当審拒絶理由１において、複数の周知技術の例示として用いたものであり、各周知技術毎に例示したものであるところ、後述する「当審拒絶理由についての判断」において、平成２９年７月３１日の手続補正を踏まえた上で示す必要があるため、便宜上、上記の順に並べたものである。
（２）当審拒絶理由２の理由１（新規事項）
　平成２８年１２月６日にした手続補正は、以下の点で願書に最初に添付した明細書又は図面に記載した事項の範囲内においてしたものでないから、特許法第１７条の２第３項に規定する要件を満たしていない。
　請求項１、９、１３及び１４に記載の「前記正面光又は前記トップ光のうちの少なくとも一方の光における赤い光又は黄色の光のうちの少なくとも一方の光の増加」という発明特定事項、及び、「導き出された肌のトーンの明るさを増加させるように」という発明特定事項は、いずれも、願書に最初に添付した明細書又は図面に記載されていないし、これらの記載から自明な事項ともいえない。
（３）当審拒絶理由２の理由２（記載不備）
　この出願は、特許請求の範囲の記載が、特許法第３６条第６項第２号に規定する要件を満たしていない。
　請求項１、９、１３及び１４に記載の「導き出された肌のトーンの明るさを増加させるように」という発明特定事項は、構成を特定することができないから、明確でない。
２　当審拒絶理由についての判断
２−１　当審拒絶理由１（進歩性）について
（１）刊行物に記載された事項及び発明
（１−１）刊行物１について
ア　刊行物１に記載された事項
　刊行物１には、図とともに以下の事項が記載されている。（下線は当審が加筆した。以下、同様である。）
（１ａ）
「【０００１】
　本発明は、主に
加齢に伴う視覚機能の変化を補正するための照明システムに関するものである。
（１ｂ）
「【０００９】
　さらに、
本発明の彩度低下防止用照明システムには、上記スポット照明とサラウンド照明の強度および／または配光を連動させて制御する制御手段を設け、これらの設定を一度に、且つ目的に応じた適切な照明条件になるように調節することも可能である。
　また、
上記制御手段を、スポット照明とサラウンド照明の強度および／または配光の調節に加えて、
【発明の効果】
【００１０】
　上記構成からなる
本発明の照明システムおよび照明方法を用いることにより、例えば、高齢者が若年齢者の見ている色により近い彩度の色を見ることが可能となり、
（１ｃ）
「【００１２】
 [
実施例１
　
本実施例は、本発明の彩度低下防止用照明システムおよび照明方法を工業製品や商品、美術品等の展示ブースに適用したものであり、図１に示すように、例えば、高さｈが215cm、幅ｗが238cm、奥行きｄが205cmの展示ブース１００内に、スポット照明１０１、サラウンド照明１０２、および可変色ウォール１０３を設置したものである。スポット照明１０１としてはルーバー１０４付き照明器具を天井中央に配置し、観察対象物１０５を照明するように配光を調節した。サラウンド照明１０２は、ルーバーなしの照明器具を両側の側面壁１０７，１０８および観察者１０６に対する背面壁１０９を照明するように、照明側を壁面に向けて、天井の壁面付近3カ所に設置した。
（１ｄ）
「【００１７】
 [
実施例２
　
本実施例は、本発明の彩度低下防止用照明システムおよび照明方法をフィッティング・ルーム（試着室）に適用したものである。
　
本実施例のフィッティング・ルームの模式図を図６に示す。フィッティング・ルーム６００の大きさと内装、照明器具の設置位置および仕様は、上記実施例１の展示ブースと同様である。
フィッティング・ルーム６００では、観察対象は観察者１０６自身が試着している衣服となるため、
観察者の前面に鏡６０１
を配置した。
（１ｅ）
「【００１８】
　
上記実施例１と同様に、白内障疑似体験ゴーグルを用いて、本実施例の彩度低下防止用フィッティング・ルーム６００の効果を検証した。
　図７に示すように、色彩輝度計４０２は、床からの高さ155cm,鏡から104cm離れた位置に鏡６０１と対向させて設置した。さらに、その26cm下（床から119cm）の高さに、垂直方向から約20°傾けた色票４０１（約6cmの正方形）を同じく鏡６０１と対向させて配置し、鏡越しに計測を行った。測色には上記実施例１と同じ8種類の色票４０１を使用し、通常照明下ゴーグルなし、通常照明下ゴーグルあり、高齢者照明下ゴーグルありの3種類の条件で行った。
【００１９】
　図８に上記測色試験の結果を示す。上記実施例１と同様に、通常条件下で高齢者の見る色彩（図８の●）の彩度は低く、
高齢者照明にすると（図８の▲）、若年齢者の見る色彩（図８の◇）の付近にまで彩度が回復していることがわかる。
【００２０】
　さらに、実際に観察者が上記の色彩輝度計の位置から色票を観察し、そのときに見えた色の名前を白、黒、灰、赤、青、緑、黄、桃、橙、紫、茶、紺、オリーブ、ベージュの14色の内から答える「カテゴリカル・カラーネーミング」を行った。上述の測色試験に用いた色票以外にも様々な彩度、色相、明度を持ったマンセル色票、および服地で一般に用いられる色の布地サンプルに対して、
4名の観察者（26歳男性、34歳女性、53歳男性、53歳男性）が各10回ずつの判定を行った。
イ　刊行物１に記載された発明
（ア）
　摘記（１ａ）〜（１ｅ）を参照すると、実施例２（図６、フィッティング・ルーム６００）は、「照明器具の設置位置および仕様は、上記実施例１の展示ブースと同様であ」り（摘記（１ｄ））、また、実施例２（図６）においても、「高齢者照明にする」ために（摘記（１ｅ））、制御手段が設けられ、スポット照明１０１及びサラウンド照明１０２の強度および配光を調節しているもの（摘記（１ｂ））と認められる。
（イ）
　フィッティング・ルーム６００に配置された鏡６０１が、フィッティング・ルーム６００に位置する観察者である人のイメージを、前記フィッティング・ルーム６００の前記観察者である人に表示することは、自明な事項である。 
（ウ）
　上記（ア）及び（イ）、並びに、摘記（１ａ）〜（１ｅ）及び図６の図示内容を総合し、本願発明１の発明特定事項に則って整理すると、刊行物１には、次の発明（以下、「引用発明」という。）が記載されているものと認められる。
　［引用発明］
「鏡６０１、制御手段、及び、照明器具を含む、彩度低下防止用照明システムであって、
　前記照明器具は、フィッティング・ルーム６００で光を供給する、スポット照明１０１及びサラウンド照明１０２であり、
　前記制御手段は、前記スポット照明１０１及びサラウンド照明１０２の強度および配光を調節して高齢者照明にし、 
　前記鏡６０１は、前記フィッティング・ルーム６００に位置する人のイメージを、前記フィッティング・ルーム６００の前記人に表示する、
　彩度低下防止用照明システム。」
（１−２）刊行物２について
　刊行物２には、図とともに以下の事項が記載されている。
（２ａ）
「【００４０】
　図２に示すように、領域２内において、エリア（１）および（２）の中央にエアコンＡ１が配置され、エリア（３）および（４）の中央にエアコンＡ２が配置され、エリア（５）および（６）の中央にエアコンＡ３が配置されている。各エアコンＡ１、Ａ２、Ａ３はそれぞれのエリアの天井に取り付けられている。また、
エリア（１）、（２）の天井にはＬＥＤ照明Ｌ１が、エリア（３）、（４）の天井にはＬＥＤ照明Ｌ２が、エリア（５）、（６）の天井にはＬＥＤ照明Ｌ３が、それぞれ設けられている。
（２ｂ）
「【００５８】
 　なお、この場合において、エリア内の設定人数を４名にした場合には、エリア（３）および（４）内の人数も設定人数より少なくなるため、法則iii)にしたがって、ＬＥＤ照明Ｌ２の輝度は低めに設定されるが、このとき、エリア（３）および（４）内の３人の人の各ＩＤ情報に優先順位が付けられている場合には、上記iii)の法則よりも優先して、当該優先順位にしたがって、ＬＥＤ照明Ｌ２の駆動制御が行われる。たとえば、
優先順位が付けられているＩＤ情報が個人の年齢である場合、或る一定年齢以上の人が含まれているときには、離れている文字がよく見えるように、輝度が高めに設定される。
（１−３）刊行物３について
　刊行物３には、図とともに以下の事項が記載されている。
（３ａ）
「【００３７】ステップＳ０６では個人認識センサー２６によって個人識別が行われ、その出力に基づいて、個人個人にあった出力方式が選定される。出力方式ＡであるＳ０８では第１図の照明装置１０、１１、１２を全て駆動し、出力方式ＢであるＳ０９では第１図の照明装置１０、１１のみを駆動する。例えば
識別したトイレ使用者が高齢者の場合には足元の照明１２を照らし、
【００３８】第５図に本発明の照明装置の出力シーケンスの１実施例を示す。照明装置を制御する制御部４はＣＰＵ出力を内臓するため、シーケンス的な動作も簡単に実施可能である。図中の出力Ａ、Ｂ、Ｃはそれぞれ第１図の照明装置１１、１０、１２の出力を表わす。」
（１−４）刊行物４について
　刊行物４には、図とともに以下の事項が記載されている。
（４ａ）
「【０００１】
  本発明は、
室内における人の存否および顔の向きを検知し、検知結果に基づいて、タスク用照明器具およびダウン用照明器具の点灯制御を行う照明システムに関する。
（４ｂ）
「【００２８】
　
顔認識センサ４２は、ＣＣＤカメラ、ＣＭＯＳカメラ、赤外線カメラ等の撮像装置から構成され、
（４ｃ）
「【００３１】
　図３における
照明システムは、室内Ｒ１の天井に取り付けられ、エリアＳにおける人の存否および顔の向きを検知する人検知部４０と、天井に設置され、人検知部４０によってエリアＳに人が検知された場合に、エリアＳを照明するタスク用照明のシーリングライト１１と、壁面に設置され、人検知部４０によって検知される顔の向きに応じて壁面と天井の一部を照明するベース用照明のブラケット２１、２２、スポットライト２３、２４、及び建築化照明としてのコーニス照明２５を備えている。
（１−５）刊行物５について
　刊行物５には、図とともに以下の事項が記載されている。
（５ａ）
「【０００７】
　請求項２の発明は、請求項１に記載の発明において、
前記制御部は、少なくとも照明器具が点灯している状態において、前記画像センサにより取得した画像データを基に肌色検出を行い、肌色が検出された場合には、前記エリアに人が存在すると判断するものである。
（５ｂ）
「【００１５】
　判断部４１は、人が存在すると判断されるとき、照明器具２が消灯している場合には、送信部４４からＰＷＭ信号を送信して照明器具２を点灯させる。このとき、判断部４１は、人が存在すると判断してから、予め設定される点灯保持時間経過するまで照明器具２を点灯させる。判断部４１は、人が存在すると判断されるとき、照明器具２が点灯しているとき場合には、照明器具２を点灯させる時間を延長させるようにする。また、
判断部４１は、照明器具２が点灯している状態において、取得した画像データを基に肌色検出を行い、肌色が検出された場合、設置エリアに人が存在すると判断して上記同様に照明器具２の点灯時間を延長させる。
（１−６）刊行物６について
　刊行物６には、図とともに以下の事項が記載されている。
（６ａ）
「【００２１】
　ここで、面光源５の設置場所について説明する。面光源５の設置場所としては、天井（図示せず）、鏡４の上方、鏡４の両側方が考えられる。このうち、天井に設置すると人（試着者）２０の鏡４から鉛直方向の照度である鉛直面照度を得にくいので、鏡４の上方に設置した場合と、鏡４の両側方に設置した場合とで比較する。図３には、同じ供給電力あたりの面光源５の設置場所による鉛直面照度を示している。図３によると、
フィッティングルーム３の床面からの高さが少なくとも１．２ｍまでは、鏡４の両側方に面光源５を設置
（１−７）刊行物７について
　刊行物７には、図とともに以下の事項が記載されている。
（７ａ）
「【００５８】来店した顧客１８は、試着室１２でアパレル製品１１の試着を行う
。図１では、
照明機器１４で一定の条件で照明しながら、撮影機器１５で撮影し、処理機器１６で記憶し、画像処理を施して、表示機器１７に表示させることができる。
（２）対比・判断
（２−１）本願発明１について
ア　対比
　本願発明１と引用発明とを対比する。
（ア）
　引用発明の「鏡６０１」及び「制御手段」は、それぞれ、本願発明１の「表示ユニット」及び「制御ユニット」に相当する。
（イ）
　本願発明１の「照明システム」は、「少なくとも１つの光源を含む」ものであり「複数の光源を含むシステムについて言及し」ていること（本願明細書の段落【００３６】）、及び、引用発明の「照明器具」は、「スポット照明１０１及びサラウンド照明１０２であ」り、これらの照明はいずれも、光源であり制御手段により調節されるものであることから、引用発明の「照明器具」は、本願発明１の「照明システム」に相当する。
（ウ）
　引用発明の「彩度低下防止用照明システム」は、「鏡６０１」「を含む」から、本願発明１の「表示及び照明装置」に相当する。
（エ）
　引用発明の「フィッティング・ルーム６００」は、本願発明１の「所定の場所」に相当する。
（オ）
　上記（イ）及び（エ）を踏まえると、引用発明の「前記照明器具は、フィッティング・ルーム６００で光を供給する、スポット照明１０１及びサラウンド照明１０２であ」る構成と、本願発明１の「前記照明システムは、正面光を前記人に供給する第１光源と、前記所定の場所でトップ光を前記人に供給する、第２光源とを含」む構成とは、「前記照明システムは、光を供給する第１光源と、所定の場所で光を供給する、第２光源とを含」む構成の限りで共通する。
（カ）
　引用発明の「高齢」は、本願発明１の「人の特徴」に相当する。
（キ）
　引用発明の「光の強度及び配光を調節」することは、本願発明１の「光」「をコントロール」することに相当する。
（ク）
　引用発明の「高齢者照明にし」ていることは、高齢者（または、ゴーグルを用いて高齢者のような状態となった人）を対象とするものであり（摘記（１ｅ））、高齢すなわち人の特徴（上記（カ））に基づくものといえること、及び、上記（キ）を踏まえると、引用発明の「前記制御手段は、前記スポット照明１０１及びサラウンド照明１０２の強度および配光を調節して高齢者照明にし」ている構成と、本願発明１の「前記制御ユニットは、前記センサシステム信号から人の特徴を導き出し、そして、前記人の特徴に基づいて、前記第１光源の光と、前記第２光源の光とをコントロールし」ている構成とは、「前記制御ユニットは、人の特徴に基づいて、前記第１光源の光と、前記第２光源の光とをコントロールし」ている構成の限りで共通する。
（ケ）
　上記（ア）及び（エ）を踏まえると、引用発明の「前記鏡６０１は、前記フィッティング・ルーム６００に位置する人のイメージを、前記フィッティング・ルーム６００の前記人に表示する」構成は、本願発明１の「前記表示ユニットは、前記所定の場所に位置する人のイメージを、前記所定の場所の前記人に表示する」構成に相当する。
　以上から、本願発明１と引用発明との一致点及び相違点は、以下のとおりである。 
 ＜一致点＞
「表示ユニット、制御ユニット、及び照明システムを含む、表示及び照明装置であって：
　前記照明システムは、光を供給する第１光源と、所定の場所で光を供給する、第２光源とを含み；
　前記制御ユニットは、人の特徴に基づいて、前記第１光源の光と、前記第２光源の光とをコントロールし；そして、
　前記表示ユニットは、前記所定の場所に位置する人のイメージを、前記所定の場所の前記人に表示する、
　表示及び照明装置。」
＜相違点１＞ 
　「照明システム」に関して、本願発明１は、「前記照明システムは、正面光を前記人に供給する第１光源と、前記所定の場所でトップ光を前記人に供給する、第２光源とを含」むのに対して、引用発明は、「前記照明器具は、フィッティング・ルーム６００で光を供給する、スポット照明１０１及びサラウンド照明１０２であ」る点。
＜相違点２＞
　本願発明１は、「センサシステム」「を含む」「照明装置であって」、「前記センサシステムは、所定の場所で人を感知し、対応するセンサシステム信号を生成し」、「前記制御ユニットは、前記センサシステム信号から人の特徴を導き出し、そして、前記人の特徴に基づいて、前記第１光源の光と、前記第２光源の光とをコントロールし；前記人の特徴は前記人の肌の色を含み、前記制御ユニットは、前記正面光における赤い光又は黄色の光のうちの少なくとも一方の光を加えることにより、導き出された肌の色の表現が調整されるように、前記導き出された肌の色に基づいて、前記照明システムをコントロールし」ているの対して、引用発明は、センサシステムについては特定されておらず、「前記制御手段は、前記スポット照明１０１及びサラウンド照明１０２の強度および配光を調節して高齢者照明にし」ている点。
イ　判断
　事案に鑑み、相違点２について検討する。
（ア）
　センサシステムを設け、センサシステムが、所定の場所で人を感知し、対応するセンサシステム信号を生成し、制御ユニットが、前記センサシステム信号から人の特徴（高齢）を導き出し、前記人の特徴（高齢）に基づいて、光源の光をコントロールすることは、例えば、刊行物２の段落【００５８】（摘記（２ｂ））及び図２、並びに、刊行物３の段落【００３７】（摘記（３ａ））及び図１に示されるように、周知技術であるといえる。
（イ）
　照明用のセンサとして、カメラを用いることは、例えば、刊行物４の段落【０００１】、【００２８】及び【００３１】（摘記（４ａ）〜（４ｃ））に示すように、周知技術であり、また、照明用のセンサとして、画像データを基に人の特徴である肌色検出を行うセンサも、刊行物５の段落【０００７】及び【００１５】（摘記（５ａ）及び（５ｂ））に示すように知られている。
（ウ）
　上記（ア）及び（イ）を踏まえると、引用発明に上記（ア）の周知技術を適用し、引用発明において、センサシステムを設け、センサシステムが、所定の場所で人を感知し、対応するセンサシステム信号を生成し、制御ユニットが、前記センサシステム信号から人の特徴（高齢）を導き出し、前記人の特徴（高齢）に基づいて、光源の光をコントロールすることまでは、当業者にとって格別に困難ことではないといえる。
（エ）
　しかしながら、上記相違点２に係る本願発明１の構成が備えている、「前記制御ユニットは、前記センサシステム信号から人の特徴を導き出し」、「前記人の特徴は前記人の肌の色を含み、」「前記正面光における赤い光又は黄色の光のうちの少なくとも一方の光を加えることにより、導き出された肌の色の表現が調整されるように、前記導き出された肌の色に基づいて、前記照明システムをコントロールし」ていること（以下、「発明特定事項Ａ」という。）は、刊行物２ないし７には記載されていないし（摘記（２ａ）〜（７ａ）等参照）、示唆もされていない。
（オ）
　そうすると、引用発明に、刊行物２ないし７に記載された技術事項を適用しても、発明特定事項Ａを備えている上記相違点２に係る本願発明１の構成に至るものではない。
（カ）
　したがって、他の相違点について判断するまでもなく、本願発明１は、引用発明及び刊行物２ないし７に記載された技術事項に基いて、当業者が容易に発明をすることができたものであるとはいえない。
（２−２）本願発明９及び１４について 
　本願発明９は「スペ−ス」の発明であり、本願発明１４は「方法」の発明であるが、いずれも、実質的に発明特定事項Ａを含むものであるから（本願発明１４の「前記第１光源及び第２光源をコントロールする」ことは、実質的には「前記照明システムをコントロールする」ことである。）、本願発明９及び１４は、上記（２−１）イと同様に、引用発明及び刊行物２ないし７に記載された技術事項に基いて、当業者が容易に発明をすることができたものであるとはいえない。
（２−３）本願発明２〜８、１０〜１３及び１５について
　本願発明２〜８及び１３は、本願発明１をさらに限定したものであって本願発明１の発明特定事項を全て備えるものであり、本願発明１０〜１２は、本願発明９をさらに限定したものであって本願発明９の発明特定事項を全て備えるものであり、本願発明１５は、本願発明１４をさらに限定したものであって本願発明１４の発明特定事項を全て備えるものであるから、本願発明２〜８、１０〜１３及び１５は、上記（２−１）イないし上記（２−２）と同様に、引用発明及び刊行物２ないし７に記載された技術事項に基いて、当業者が容易に発明をすることができたものであるとはいえない。
（３）小括
　以上から、本願発明１〜１５は、引用発明及び刊行物２ないし７に記載された技術事項に基いて、当業者が容易に発明をすることができたものであるとはいえないから、特許法第２９条第２項の規定により特許を受けることができないとはいえない。 
　したがって、当審拒絶理由１は解消した。
２−２　当審拒絶理由２の理由１（新規事項）及び理由２（記載不備）について 
　請求項１、９、１３及び１４において、「前記人の特徴は前記人の肌の色を含み、」「前記正面光における赤い光又は黄色の光のうちの少なくとも一方の光を加えることにより、導き出された肌の色の表現が調整されるように、前記導き出された肌の色に基づいて、」「コントロール」すると補正されたから、明細書に記載した事項の範囲内に補正され、構成を明確に特定することができるようになり、本願発明１、９、１３及び１４は明確になった。
　また、請求項１における上記補正に対応して、請求項６及び７において、「肌の色」と補正された。
　これにより、本願発明１の発明特定事項を全て備える本願発明２〜８、本願発明９の発明特定事項を全て備える本願発明１０〜１２、及び、本願発明１４の発明特定事項を全て備える本願発明１５も、明細書に記載した事項の範囲内となり、明確となった。
　したがって、当審拒絶理由２の理由１及び理由２は解消した。
２−３　当審拒絶理由についてのまとめ
　以上から、当審拒絶理由は全て解消した。
第４　原査定の理由について
１　原査定の理由の概要
　この出願の請求項１〜１５に係る発明は、その優先日前に日本国内または外国において頒布された以下の刊行物に記載された発明又は電気通信回線を通じて公衆に利用可能となった発明に基いて、その優先日前にその発明の属する技術の分野における通常の知識を有する者が容易に発明をすることができたものであるから、特許法第２９条第２項の規定により特許を受けることができない。 
　特開２００８−１２３８５９号公報（以下、「刊行物Ａ」という。）
　特開２０１０−１２３５３４号公報（以下、「刊行物Ｂ」という。）
　特開２００８−１７１４６号公報（以下、「刊行物Ｃ」という。）
　特開２０１０−５５８０１号公報（以下、「刊行物Ｄ」という。）
　特開２００５−３０２５００号公報（以下、「刊行物Ｅ」という。）
２　原査定の理由についての判断
　刊行物Ａ、Ｂ，Ｄ及びＥ（刊行物Ａは上記刊行物６であり、刊行物Ｂは上記刊行物４であり、刊行物Ｄは上記刊行物５であり、刊行物Ｅは上記刊行物１であり、いずれも、当審拒絶理由において引用した刊行物である。）並びに刊行物Ｃ（段落【０００８】等）には、上記相違点２に係る本願発明１の構成が備えている発明特定事項Ａは、記載も示唆もされておらず、第３　２　２−１（２）（２−１）〜（２−３）と同様に、本願発明１〜１５は、刊行物ＡないしＥに基いて、当業者が容易に発明をすることができたものであるとはいえないから、特許法第２９条第２項の規定により特許を受けることができないとはいえない。
　したがって、原査定の理由も解消した。
第５　むすび
　以上のとおり、本願については、原査定の理由及び当審の拒絶理由を検討してもその理由によって拒絶すべきものとすることはできない。
　また、他に本願を拒絶すべき理由を発見しない。
　よって、結論のとおり審決する。